(57)【特許請求の範囲】
【請求項１】
免許不要帯域における伝送を扱うための通信装置であって、
第１のコンポーネントキャリア上のサブフレームに対してサブフレームフォーマットを適用することを判定する命令であって、少なくとも１つの直交周波数分割多重（ＯＦＤＭ）シンボルの伝送が前記サブフレームフォーマットにおいてオフである、命令と、
前記判定に従って、少なくとも１つの第２の通信装置に対して、前記サブフレームフォーマットが前記第１のコンポーネントキャリア上の前記サブフレームに対して適用されることを示すためのメッセージを第２のコンポーネントキャリアにより送信する命令と、
前記第１のコンポーネントキャリア上の前記サブフレームに対して前記サブフレームフォーマットを適用する命令と、
前記第１のコンポーネントキャリア上の前記サブフレームにおける前記少なくとも１つのＯＦＤＭシンボルの伝送を中断する命令とを記憶するための記憶装置と、
前記記憶装置に連結されるとともに、前記記憶装置に記憶される前記命令を実行するように構成される処理手段とを備える、通信装置。
【請求項２】
前記少なくとも１つのＯＦＤＭシンボルの少なくとも１つのサイクリックプレフィックス（ＣＰ）の伝送が前記サブフレームフォーマットにおいてオフである、請求項１に記載の通信装置。
【請求項３】
前記少なくとも１つのＯＦＤＭシンボルが、プライマリ同期信号（ＰＳＳ）、セカンダリ同期信号（ＳＳＳ）、セル固有ＲＳ（ＣＲＳ）、チャネル状態情報（ＣＳＩ）ＲＳ（ＣＳＩ−ＲＳ）、復調ＲＳ（ＤＭ−ＲＳ）、ＰＤＣＣＨ、及び物理報知チャネル（ＰＢＣＨ）のうちのいずれも含まない、請求項１に記載の通信装置。
【請求項４】
もし前記少なくとも１つのＯＦＤＭシンボルがＣＲＳ及び／又はＣＳＩ−ＲＳを含まないならば、前記少なくとも１つの第２の通信装置が前記ＣＲＳ及び／又は前記ＣＳＩ−ＲＳを測定しない、請求項１に記載の通信装置。
【請求項５】
免許不要帯域における伝送を扱うための通信方法であって、
第１のコンポーネントキャリア上のサブフレームに対してサブフレームフォーマットを適用することを判定するステップであって、少なくとも１つの直交周波数分割多重（ＯＦＤＭ）シンボルの伝送が前記サブフレームフォーマットにおいてオフである、ステップと、
前記判定に従って、少なくとも１つの第２の通信装置に対して、前記サブフレームフォーマットが前記第１のコンポーネントキャリア上の前記サブフレームに対して適用されることを示すためのメッセージを第２のコンポーネントキャリアにより送信するステップと、
前記第１のコンポーネントキャリア上の前記サブフレームに対して前記サブフレームフォーマットを適用するステップと、
前記第１のコンポーネントキャリア上の前記サブフレームにおける前記少なくとも１つのＯＦＤＭシンボルの伝送を中断するステップとを含む、方法。
【請求項６】
前記少なくとも１つのＯＦＤＭシンボルの少なくとも１つのサイクリックプレフィックス（ＣＰ）の伝送が前記サブフレームフォーマットにおいてオフである、請求項５に記載の方法。
【請求項７】
前記少なくとも１つのＯＦＤＭシンボルが、プライマリ同期信号（ＰＳＳ）、セカンダリ同期信号（ＳＳＳ）、セル固有ＲＳ（ＣＲＳ）、チャネル状態情報（ＣＳＩ）ＲＳ（ＣＳＩ−ＲＳ）、復調ＲＳ（ＤＭ−ＲＳ）、ＰＤＣＣＨ、及び物理報知チャネル（ＰＢＣＨ）のうちのいずれも含まない、請求項５に記載の方法。
【請求項８】
もし前記少なくとも１つのＯＦＤＭシンボルがＣＲＳ及び／又はＣＳＩ−ＲＳを含まないならば、前記少なくとも１つの第２の通信装置が前記ＣＲＳ及び／又は前記ＣＳＩ−ＲＳを測定しない、請求項５に記載の方法。
【発明の詳細な説明】
【技術分野】
【０００１】
本発明は、無線通信システムにおいて使用される通信装置に関し、より詳細には、無線通信システムにおいて免許不要帯域における空きチャネル判定及び信号伝送を扱うための通信装置に関する。
【背景技術】
【０００２】
第３世代パートナシッププロジェクト（３ＧＰＰ）によって開発されたロングタームエボリューション（ＬＴＥ）システムは、データ伝送の増加するニーズを満たすためにユニバーサル移動体通信システム（Universal  Mobile  Telecommunications  System：“ＵＭＴＳ”）の性能を更に拡張するためのＵＭＴＳの後継である。ＬＴＥシステムは、高いデータ転送速度、少ない待ち時間、パケット最適化、並びに、改善されたシステム容量及びサービスエリアを提供する、新しい無線通信インタフェース及び新しい無線ネットワークアーキテクチャを含む。ＬＴＥシステムにおいて、進化型ユニバーサル地上無線アクセスネットワーク（Ｅ−ＵＴＲＡＮ）として知られている無線アクセスネットワークは、複数のユーザ装置（User  Equipment：“ＵＥ”）と通信するとともに、非アクセス層（Non-Access  Stratum：“ＮＡＳ”）制御のために、移動管理装置（Mobility  Management  Entity：“ＭＭＥ”）、サービングゲートウェイ（serving  gateway）などを有するコアネットワークと通信するための、複数の進化型ノードＢ（evolved  Node-B：“ｅＮＢ”）を含む。
【先行技術文献】
【非特許文献】
【０００３】
【非特許文献１】3rd  Generation  Partnership  Project；Technical  Specification  Group  Radio  Access  Network；Evolved  Universal  Terrestrial  Radio  Access  (E-UTRA)  and  Evolved  Universal  Terrestrial  Radio  Access  Network  (E-UTRAN)；Overall  description、Stage  2、(Release 12)、２０１４年９月
【非特許文献２】3rd  Generation  Partnership  Project；Technical  Specification  Group  Radio  Access  Network；Evolved  Universal  Terrestrial  Radio  Access  (E-UTRA)；Radio  Resource  Control  (RRC)；Protocol  specification、(Release 12)、２０１４年９月
【非特許文献３】Broadband  Radio  Access  Networks  (BRAN)；5  GHz  high  performance  RLAN；Harmonized  EN  covering  the  essential  requirements  of  article  3.2  of  the  R&TTE  Directive、２０１４年７月
【発明の概要】
【発明が解決しようとする課題】
【０００４】
ネットワークオペレータは、ネットワークトラフィックの負荷を緩和するために、ＬＴＥ／ＬＴＥ−Ａシステムのネットワークトラフィックを免許不要帯域にオフロードすることを提案する。
【０００５】
免許不要帯域における伝送のために、リッスンビフォアトーク（listen  before  talk：ＬＢＴ）が必要とされ得る。ＬＢＴ要求を満たすために、伝送が行われる前に、空きチャネル判定（clear  channel  assessment：ＣＣＡ）動作（例えば、ＣＣＡチェック）が指定された期間内に実行され得る。詳細には、ｅＮＢは、免許不要帯域におけるダウンリンク（ＤＬ）キャリア上の伝送を、免許不要帯域におけるＤＬキャリアに対する第１のＣＣＡ動作を実行するために、第１の期間の間中断し得る。さらに、ｅＮＢは、ＤＬキャリアがビジー状態であることを第１のＣＣＡ動作の結果が示す場合に、第２の期間の間別の伝送を中断し得るとともに、第２の期間の間第２のＣＣＡ動作を実行し得る。この状況において、ＵＥは、第１の期間及び第２の期間の間にデータを受信しない。それ故に、ＵＥのスループットは、ＣＣＡ動作に関連する伝送の中断に起因して減らされる。さらに、第１の期間及び第２の期間の間の伝送の中断は、誤った測定結果をもたらし得る。
【０００６】
したがって、免許不要帯域におけるキャリア（すなわち、免許不要キャリア）上のＣＣＡ及び伝送を扱う方法は、論じられるべき重要な主題である。
【課題を解決するための手段】
【０００７】
本発明は、したがって、上記の問題を解決するために、免許不要帯域における空きチャネル判定及び信号伝送を扱うための通信装置を提供する。
【０００８】
免許不要帯域における空きチャネル判定（ＣＣＡ）を扱うためのネットワークは、命令を記憶するための記憶装置と、記憶装置に連結される処理手段とを備える。処理手段は、記憶装置に記憶される命令を実行するように構成される。命令は、コンポーネントキャリア上のサブフレームにおいて少なくとも１つの第１の直交周波数分割多重（ＯＦＤＭ）シンボルを送信することを中断する命令と、コンポーネントキャリア上のサブフレームにおいて少なくとも１つの第１のＯＦＤＭシンボルの持続時間内にＣＣＡ動作を実行する命令とを含む。
【０００９】
免許不要帯域における空きチャネル判定（ＣＣＡ）を扱うためのネットワークは、命令を記憶するための記憶装置と、記憶装置に連結される処理手段とを備える。処理手段は、記憶装置に記憶される命令を実行するように構成される。命令は、第１のコンポーネントキャリア上のサブフレームにおけるデータ伝送を中断するかどうかを判定する命令と、判定に従って、少なくとも１つの通信装置に対して、データ伝送の中断を示すための第１のメッセージを第２のコンポーネントキャリアにより送信する命令と、ある期間の間第１のコンポーネントキャリアによるデータ伝送を中断する命令とを含む。
【００１０】
免許不要帯域における伝送を扱うためのネットワークは、命令を記憶するための記憶装置と、記憶装置に連結される処理手段とを備える。処理手段は、記憶装置に記憶される命令を実行するように構成される。命令は、第１のコンポーネントキャリア上のサブフレームに対してサブフレームフォーマットを適用することを判定する命令であって、少なくとも１つの直交周波数分割多重（ＯＦＤＭ）シンボルの伝送がサブフレームフォーマットにおいてオフである、命令と、判定に従って、少なくとも１つの通信装置に対して、サブフレームフォーマットが第１のコンポーネントキャリア上のサブフレームに対して適用されることを示すためのメッセージを第２のコンポーネントキャリアにより送信する命令と、第１のコンポーネントキャリア上のサブフレームに対してサブフレームフォーマットを適用する命令と、第１のコンポーネントキャリア上のサブフレームにおける少なくとも１つのＯＦＤＭシンボルの伝送を中断する命令とを含む。
【００１１】
本発明のこれら及び他の目的は、様々な図表及び図面において例示される好ましい実施例の下記の詳細な説明を読んだあとで、当業者に疑いなく明らかになるであろう。
【図面の簡単な説明】
【００１２】
【図１】本発明の実例による無線通信システムの概略図である。
【図２】本発明の実例による通信装置の概略図である。
【図３】本発明の実例による処理のフローチャートである。
【図４】本発明の実例による処理のフローチャートである。
【図５】本発明の実例による処理のフローチャートである。
【発明を実施するための形態】
【００１３】
図１は、本発明の実例による無線通信システム１０の概略図である。手短に言えば、無線通信システム１０は、ネットワーク、及び複数の通信装置を含む。図１において、ネットワーク及び通信装置は、単に無線通信システム１０の構造を例示するために利用される。ネットワーク及び通信装置は、１つ若しくは複数の免許必要キャリア及び／又は１つ若しくは複数の免許不要キャリアによって、相互に通信し得る。実質的には、ネットワークは、ロングタームエボリューション（ＬＴＥ）システム、ＬＴＥ−アドバンスト（ＬＴＥ−Ａ）システム、若しくはＬＴＥ−Ａシステムの発展形における少なくとも１つの進化型ＮＢ（ｅＮＢ）及び／又は少なくとも１つの中継装置を含む、進化型ＵＴＲＡＮ（Ｅ−ＵＴＲＡＮ）であり得る。
【００１４】
通信装置は、ユーザ装置（ＵＥ）、低コスト装置（例えば、機械タイプ通信（ＭＴＣ）装置）、デバイスツーデバイス（Ｄ２Ｄ）装置、携帯電話、ラップトップ、タブレットコンピュータ、電子ブック、ポータブルコンピュータシステム、乗物、又は航空機であり得る。さらに、ネットワーク及び通信装置は、方向（すなわち、伝送方向）に従って送信器又は受信器と見なされることができ、例えば、アップリンク（ＵＬ）に関して、通信装置は送信器であり、そしてネットワークは受信器であるとともに、ダウンリンク（ＤＬ）に関して、ネットワークは送信器であり、そして通信装置は受信器である。
【００１５】
図２は、本発明の実例による通信装置２０の概略図である。通信装置２０は、図１において示された通信装置又はネットワークであり得るが、しかし、これに限定されない。通信装置２０は、マイクロプロセッサ又は特定用途向け集積回路（Application  Specific  Integrated  Circuit：ＡＳＩＣ）のような処理手段２００、記憶装置２１０、及び通信インタフェース装置２２０を含み得る。記憶装置２１０は、処理手段２００によってアクセスされて実行されるプログラムコード２１４を記憶し得るあらゆるデータ記憶装置であり得る。記憶装置２１０の例は、加入者識別モジュール（Subscriber Identity Module：“ＳＩＭ”）、読出し専用メモリ（ＲＯＭ）、フラッシュメモリ、ランダムアクセスメモリ（ＲＡＭ）、コンパクトディスク読み取り専用メモリ（ＣＤ−ＲＯＭ）、デジタル多目的ディスク−ＲＯＭ（ＤＶＤ−ＲＯＭ）、ブルーレイディスク−ＲＯＭ（ＢＤ−ＲＯＭ）、磁気テープ、ハードディスク、光学データ記憶装置、不揮発性記憶装置、非一時的なコンピュータ読み取り可能媒体（例えば、有形の媒体）などを含むが、しかしそれらに限定されない。通信インタフェース装置２２０は、好ましくはトランシーバであり、そして処理手段２００の処理結果に従って信号（例えば、データ、信号、メッセージ、及び／又はパケット）を送信及び受信するために使用される。
【００１６】
図３は、本発明の実例による処理３０のフローチャートである。処理３０は、免許不要帯域における空きチャネル判定（ＣＣＡ）を扱うために、図１におけるネットワーク（例えば、ｅＮＢ）において利用され得る。処理３０は、プログラムコード２１４にコンパイルされ得るとともに、下記のステップを含む。
【００１７】
ステップ３００：開始。
【００１８】
ステップ３０２：コンポーネントキャリア上のサブフレームにおいて少なくとも１つの第１の直交周波数分割多重（ＯＦＤＭ）シンボルを送信することを中断する。
【００１９】
ステップ３０４：コンポーネントキャリア上のサブフレームにおいて少なくとも１つの第１のＯＦＤＭシンボルの持続時間内にＣＣＡ動作を実行する。
【００２０】
ステップ３０６：終了。
【００２１】
処理３０によれば、ネットワークは、コンポーネントキャリア上のサブフレームにおいて少なくとも１つの第１のＯＦＤＭシンボルを送信することを中断し得る。そして、ネットワークは、コンポーネントキャリア上のサブフレームにおいて少なくとも１つの第１のＯＦＤＭシンボルの持続時間内にＣＣＡ動作を実行し得る。すなわち、ネットワークは、１つ又は複数のＯＦＤＭシンボルを送信することを中断する必要があり得る。すなわち、ＣＣＡ動作は、少なくとも１つの第１のＯＦＤＭシンボルの全持続時間の間持続するかもしれないし、又は持続しないかもしれない。
【００２２】
本発明の具現化は、上記の説明に限定されない。下記の実例は、処理３０に適用され得る。
【００２３】
一例において、ネットワークは、少なくとも１つの第１のＯＦＤＭシンボルが少なくとも１つの参照信号（ＲＳ）を含まない場合に、コンポーネントキャリア上のサブフレームにおいて少なくとも１つのＯＦＤＭシンボル送信することを中断することを判定し得る。一例において、少なくとも１つのＲＳは、プライマリ同期信号（ＰＳＳ）、セカンダリ同期信号（ＳＳＳ）、セル固有ＲＳ（ＣＲＳ）、チャネル状態情報（ＣＳＩ）ＲＳ（ＣＳＩ−ＲＳ）、及び／又は復調ＲＳ（ＤＭ−ＲＳ）を含み得るが、しかし、これに限定されない。したがって、通信装置（例えば、ＵＥ）は（複数の）ＲＳを使用することにより測定を実行することができるとともに、正しい測定結果（例えば、チャネル品質指標（channel  quality  indicator：ＣＱＩ）値、参照信号受信電力（reference  signal  received  power：ＲＳＲＰ）、又は参照信号受信品質（reference  signal  received  quality：ＲＳＲＱ））がネットワークに報告され得る。その結果、ネットワークは、（複数の）ＲＳを含まない少なくとも１つのＯＦＤＭシンボルを送信することを中断することにより、誤った測定結果を受け取らない。
【００２４】
別の実例において、処理３０におけるネットワークは、少なくとも１つの第１のＯＦＤＭシンボルの持続時間がＣＣＡ動作を実行するために使用されているならば、少なくとも１つの第２のＯＦＤＭシンボルの持続時間内に少なくとも１つのＲＳを送信し得る。したがって、通信装置は、少なくとも１つの第１のＯＦＤＭシンボルが少なくとも１つのＲＳを含むか否かに拘わらず、少なくとも１つの第２のＯＦＤＭシンボルに含まれる少なくとも１つのＲＳを測定することができる。さらに、一例において、ＣＣＡ動作は、エネルギー検出、ＷｉＦｉキャリア感知、及びＬＴＥキャリア感知のうちの少なくとも１つを含み得るが、しかし、これに限定されない。
【００２５】
例えば、ネットワークは、免許不要帯域におけるコンポーネントキャリア上のデータ伝送を始める前に、エネルギー検出を使用することによりＣＣＡ動作を実行し得る。コンポーネントキャリアの状態は、エネルギー検出の結果に従って決定され得る。すなわち、エネルギー検出の結果がしきい値より大きい場合に、コンポーネントキャリアはビジー状態であると判定され得る。一例において、ネットワークは、コンポーネントキャリアがＣＣＡ動作によりビジー状態である（例えば、占有されている）と判定される場合に、第１の期間の間データ伝送を中断し得る。第１の期間の間、ネットワークは、別のＣＣＡ動作を実行し得る。一例において、コンポーネントキャリアがＣＣＡ動作によりビジー状態でないと判定される場合に、ネットワークは第２の期間の間データ伝送を実行し得る。すなわち、エネルギー検出の結果がしきい値より小さい場合に、コンポーネントキャリアは、その期間の間使用され得る。ネットワークは、不完全なＯＦＤＭシンボルをサブフレームにおいて送信することを許されない、ということに注意が必要である。言い換えれば、第１又は第２の期間がＯＦＤＭシンボルの範囲内で終わる、すなわちＯＦＤＭシンボルの境界で終わらない場合、ネットワークは、もしデータ伝送を実行することを判定するならば、不完全なＯＦＤＭシンボルを送信するべきではない。したがって、通信装置は、サブフレームにおいて完全なＯＦＤＭシンボルを受信して復調し得る。
【００２６】
その結果、上記の説明によれば、ネットワークは、（複数の）ＲＳを含まないＯＦＤＭシンボルを送信することを中断することにより、誤った測定結果を受け取らない。
【００２７】
図４は、本発明の実例による処理４０のフローチャートである。処理４０は、免許不要帯域におけるＣＣＡを扱うために、図１におけるネットワーク（例えば、ｅＮＢ）において利用され得る。処理４０は、プログラムコード２１４にコンパイルされ得るとともに、下記のステップを含む。
【００２８】
ステップ４００：開始。
【００２９】
ステップ４０２：第１のコンポーネントキャリア上のサブフレームにおけるデータ伝送を中断するかどうかを判定する。
【００３０】
ステップ４０４：判定に従って、少なくとも１つの通信装置に対して、データ伝送の中断を示すための第１のメッセージを第２のコンポーネントキャリアにより送信する。
【００３１】
ステップ４０６：ある期間の間第１のコンポーネントキャリアによるデータ伝送を中断する。
【００３２】
ステップ４０８：終了。
【００３３】
処理４０によれば、ネットワークは、第１のコンポーネントキャリア上のサブフレームにおけるデータ伝送を中断するかどうかを判定し得る。ネットワークは、判定に従って、少なくとも１つの通信装置（例えば、（複数の）ＵＥ）に対して、データ伝送の中断を示すための第１のメッセージを第２のコンポーネントキャリアにより送信し得る。そして、ネットワークは、ある期間の間第１のコンポーネントキャリアによるデータ伝送を中断し得る。すなわち、ネットワークは、データ伝送が中断されるということを、少なくとも１つの通信装置に通知し得る。したがって、少なくとも１つの通信装置は、例えば、第１のメッセージを受信したあとで、受信器をターンオフするか、又は受信器を低電力消費状態にすることにより、第１のコンポーネントキャリア上のサブフレームにおけるデータ伝送を受信することを中断し得る。その結果、少なくとも１つの通信装置の電力消費が削減されることができる。
【００３４】
本発明の具現化は、上記の説明に限定されない。下記の実例は、処理４０に適用され得る。
【００３５】
一例において、データ伝送は、第１のコンポーネントキャリア上のサブフレームにおいてＣＣＡ動作を実行するために中断され得る。一例において、データ伝送は、ネットワークが第１のコンポーネントキャリア上のサブフレームにおいてＣＣＡ動作を実行し、第１のコンポーネントキャリアがＣＣＡ動作によりビジー状態であると判定されたあとで中断され得る。すなわち、ネットワークは、ＣＣＡ動作を実行する前に／ＣＣＡ動作を実行したあとで、データ伝送を中断し得る。
【００３６】
一例において、データ伝送は、第１のコンポーネントキャリア上のサブフレームの少なくとも１つのＯＦＤＭシンボルにより実行され得る。さらに、期間は、少なくとも１つのＯＦＤＭシンボルの持続時間を含み得る。一例において、期間は、少なくとも１つのＯＦＤＭシンボルのための少なくとも１つのサイクリックプレフィックス（ＣＰ）の伝送を更に含み得る。一例において、少なくとも１つのＯＦＤＭシンボルは、ＰＳＳ、ＳＳＳ、ＣＲＳ、ＣＳＩ−ＲＳ、物理ＤＬ（ダウンリンク）制御チャネル（physical  DL  control  channel：ＰＤＣＣＨ）、及び物理報知チャネル（physical  broadcast  channel：ＰＢＣＨ）のうちの少なくとも１つを含む１つ又は複数の特定の信号を含まないかもしれない。
【００３７】
ネットワークに対して誤った測定結果を報告しないために、少なくとも１つの通信装置は、もし１つ又は複数の特定の信号を含む少なくとも１つのＯＦＤＭシンボルが送信されないならば、１つ又は複数の特定の信号を測定しないかもしれない。一例において、少なくとも１つの通信装置は、ＣＲＳ及び／又はＣＳＩ−ＲＳを含む少なくとも１つのＯＦＤＭシンボルが送信されないということを知っているので、少なくとも１つの通信装置は、少なくとも１つのＯＦＤＭシンボルにおけるＣＲＳ又はＣＳＩ−ＲＳを測定しないかもしれない。その代りに、もし１つ又は複数の特定の信号を含む少なくとも１つのＯＦＤＭシンボルが送信されないならば、少なくとも１つの通信装置は、１つ又は複数の特定の信号を測定し得るが、しかし少なくとも１つのＯＦＤＭシンボルにおいて測定される１つ又は複数の測定結果を報告しないかもしれない。一例において、少なくとも１つのＯＦＤＭシンボルが１つ若しくは複数のＣＲＳ及び／又はＣＳＩ−ＲＳを含む条件の下で、少なくとも１つの通信装置は、対応するＣＲＳ及び／又はＣＳＩ−ＲＳ測定結果をネットワークに報告しないかもしれない。したがって、少なくとも１つの通信装置は、誤った測定結果をネットワークに報告しないかもしれない。一例において、第１のコンポーネントキャリアは免許不要帯域にあり得るとともに、第２のコンポーネントキャリアは免許必要帯域にあり得る。
【００３８】
一例において、データ伝送の中断を示すための第１のメッセージを送信したあとで、ネットワークは、その期間のあとで、少なくとも１つの通信装置に対して、データ伝送の再開を示すための第２のメッセージを第２のコンポーネントキャリアにより送信し得る。一例において、第１のメッセージは、ＰＤＣＣＨ、拡張ＰＤＣＣＨ（ｅＰＤＣＣＨ）、又は物理ＤＬ（ダウンリンク）共有チャネル（physical  DL  shared  channel：ＰＤＳＣＨ）を通して送信され得る。同様に、第２のメッセージは、ＰＤＣＣＨ、ｅＰＤＣＣＨ、又はＰＤＳＣＨを通して送信され得る。一例において、第１のメッセージは、無線ネットワーク一時識別子（radio  network  temporary  identifier：ＲＮＴＩ）でスクランブルされた巡回冗長検査（Cyclic  Redundancy  Checks：ＣＲＣ）を有するＰＤＣＣＨ又はｅＰＤＣＣＨを通して送信され得る。同様に、第２のメッセージは、ＲＮＴＩでスクランブルされたＣＲＣを有するＰＤＣＣＨ又はｅＰＤＣＣＨを通して送信され得る。通信装置は、第１及び／又は第２のメッセージを獲得するために、ＲＮＴＩを使用して、ＣＲＣを有するＰＤＣＣＨ又はｅＰＤＣＣＨを復号し得る。一例において、第１のメッセージは、ＰＤＳＣＨを通して送信され得るとともに、第１のメッセージは、媒体アクセス制御（medium  access  control：ＭＡＣ）プロトコルデータユニット（protocol  data  unit：ＰＤＵ）又はＭＡＣ制御要素に含まれ得る。同様に、第２のメッセージは、ＰＤＳＣＨを通して送信され得るとともに、第２のメッセージは、ＭＡＣ  ＰＤＵ又はＭＡＣ制御要素に含まれ得る。
【００３９】
一例において、データ伝送は、ＰＳＳ、ＳＳＳ、ＣＲＳ、ＣＳＩ−ＲＳ、ＰＤＣＣＨ、及びＰＢＣＨのうちの少なくとも１つを除くＬＴＥ信号の伝送を含み得る。一例において、第１のメッセージは、いつデータ伝送を再開するか、又はデータ伝送の中断がいつ終了するかを示すための時間情報を含み得る。すなわち、ネットワークは、第２のコンポーネントキャリアにより、時間情報を示すための別のメッセージ（例えば、第２のメッセージ）を送信する必要がないかもしれない。さらに、第１のメッセージは、ネットワークにより少なくとも１つの通信装置に対して送信されるブロードキャストメッセージであり得る。
【００４０】
図５は、本発明の実例による処理５０のフローチャートである。処理５０は、免許不要帯域における伝送を扱うために、図１におけるネットワーク（例えば、ｅＮＢ）において利用され得る。処理５０は、プログラムコード２１４にコンパイルされ得るとともに、下記のステップを含む。
【００４１】
ステップ５００：開始。
【００４２】
ステップ５０２：第１のコンポーネントキャリア上のサブフレームに対してサブフレームフォーマットを適用することを判定し、ここで、少なくとも１つのＯＦＤＭシンボルの伝送はサブフレームフォーマットにおいてオフである。
【００４３】
ステップ５０４：判定に従って、少なくとも１つの通信装置に対して、サブフレームフォーマットが第１のコンポーネントキャリア上のサブフレームに対して適用されることを示すためのメッセージを第２のコンポーネントキャリアにより送信する。
【００４４】
ステップ５０６：第１のコンポーネントキャリア上のサブフレームに対してサブフレームフォーマットを適用する。
【００４５】
ステップ５０８：第１のコンポーネントキャリア上のサブフレームにおける少なくとも１つのＯＦＤＭシンボルの伝送を中断する。
【００４６】
ステップ５１０：終了。
【００４７】
処理５０によれば、ネットワークは、第１のコンポーネントキャリア上のサブフレームに対してサブフレームフォーマットを適用することを判定することができ、ここで、少なくとも１つのＯＦＤＭシンボルの伝送はサブフレームフォーマットにおいてオフである。そして、ネットワークは、判定に従って、少なくとも１つの通信装置（例えば、（複数の）ＵＥ）に対して、サブフレームフォーマットが第１のコンポーネントキャリア上のサブフレームに対して適用されることを示すためのメッセージを第２のコンポーネントキャリアにより送信する。ネットワークは、第１のコンポーネントキャリア上のサブフレームに対してサブフレームフォーマットを適用し得る。ネットワークは、第１のコンポーネントキャリア上のサブフレームにおける少なくとも１つのＯＦＤＭシンボルの伝送を中断し得る。すなわち、ネットワークは、サブフレームフォーマットを使用することにより、少なくとも１つのＯＦＤＭシンボルの伝送がオフにされる（中断される）ということを示し得る。したがって、少なくとも１つの通信装置は、メッセージを受信したあとで、第１のコンポーネントキャリア上のサブフレームにおける伝送を復号する方法を知るであろう。
【００４８】
本発明の具現化は、上記の説明に限定されない。下記の実例は、処理５０に適用され得る。
【００４９】
一例において、通信装置が第１のサブフレームにおいてメッセージを受信する場合に、通信装置は、第２のサブフレームにサブフレームフォーマットを適用する。第２のサブフレームは、第１のサブフレームであり得るか、又は第１のサブフレームより前にあるサブフレームであり得るか、又は第１のサブフレームよりあとのｍ個（ｍ＞０）のサブフレームであり得る。例えば、通信装置がサブフレームｎ（例えば、第１のサブフレーム）においてメッセージを受信する場合に、通信装置は、サブフレーム（ｎ＋１）、（ｎ＋２）、・・・（ｎ＋ｍ）（例えば、ｍ個のサブフレーム）にサブフレームフォーマットを適用する。
【００５０】
一例において、少なくとも１つのＯＦＤＭシンボルの伝送がサブフレームフォーマットにおいてオフである場合に、少なくとも１つのＯＦＤＭシンボルの少なくとも１つのＣＰの伝送は、サブフレームフォーマットにおいてオフであり得る。すなわち、ネットワークは、少なくとも１つのＣＰ及び少なくとも１つのＯＦＤＭシンボルを、サブフレームフォーマットで送信しないかもしれない。一例において、メッセージは、ＰＤＣＣＨ、ｅＰＤＣＣＨ、又はＰＤＳＣＨを通して送信され得る。一例において、メッセージは、ＲＮＴＩでスクランブルされたＣＲＣを有するＰＤＣＣＨ又はｅＰＤＣＣＨを通して送信され得る。通信装置は、メッセージを獲得するために、ＲＮＴＩを使用して、ＣＲＣを有するＰＤＣＣＨ又はｅＰＤＣＣＨを復号し得る。さらに、メッセージは、ＰＤＳＣＨを通して送信され得るとともに、メッセージは、ＭＡＣ  ＰＤＵ又はＭＡＣ制御要素に含まれ得る。すなわち、メッセージが異なる物理チャネル（例えば、ＰＤＣＣＨ、ｅＰＤＣＣＨ、ＰＤＳＣＨ）を通して少なくとも１つの通信装置に送信される場合に、メッセージは、異なる方法で処理される（例えば、含まれる又はスクランブルされる）ことができる。
【００５１】
一例において、少なくとも１つのＯＦＤＭシンボルは、ＰＳＳ、ＳＳＳ、ＣＲＳ、ＣＳＩ−ＲＳ、ＤＭ−ＲＳ、ＰＤＣＣＨ、及びＰＢＣＨのうちの少なくとも１つを含まないかもしれない。すなわち、少なくとも１つのＯＦＤＭシンボル（又は、少なくとも１つのＣＰ）は、サブフレームフォーマットに従って上記の信号のうちのいずれかを送信するために使用されない。少なくとも１つの通信装置は、処理４０に対する代表的な記述において説明されたネットワークに対して、誤った測定結果を報告しないかもしれない。
【００５２】
当業者は、上記の説明及び実例に関して、組み合わせ、修正、及び／又は変更を容易に行うはずである。上記の記述、ステップ、及び／又は、提案されたステップを含む処理は、ハードウェア、ソフトウェア、（ハードウェア装置とハードウェア装置上の読み取り専用ソフトウェアとして存在するコンピュータ命令及びデータとの組み合わせとして知られている）ファームウェア、電子システム、又はその組み合わせであり得る手段により具現化され得る。手段の実例は、通信装置２０であり得る。
【００５３】
総括すると、本発明は、免許不要帯域における空きチャネル判定及び伝送を扱うための方法を提供する。（複数の）ＯＦＤＭシンボルの伝送の中断は、誤った測定結果を回避するために、（複数の）通信装置に通知される。さらに、（複数の）通信装置の電力消費が削減されることができる。
【００５４】
当業者は、本発明の教示を保持しながら装置並びに方法の多くの修正及び変更が行われ得ることに容易に気づくことになる。したがって、上記の開示は、添付された特許請求の範囲の境界及び範囲によってのみ限定されると解釈されるべきである。
【図１】
0006348997.tif 000002
【図２】
0006348997.tif 000003
【図３】
0006348997.tif 000004
【図４】
0006348997.tif 000005
【図５】
0006348997.tif 000006